(57)【特許請求の範囲】
【請求項１】
フィルムを袋状に形成した包装体であって、
第１サイズに開口可能で、開口された前記第１サイズの第１開口から出される第１内容物を第１容積まで収容可能に構成された第１収容部と、
前記第１サイズと異なる第２サイズに開口可能で、開口された前記第２サイズの第２開口から出される第２内容物を第２容積まで収容可能に構成された第２収容部と、
前記第１収容部に収容される前記第１内容物及び前記第２収容部に収容される前記第２内容物を区別する仕切りと、
を備え、
前記第１サイズ及び前記第２サイズのサイズ比と前記第１容積及び第２容積の容積比とが異なり、
前記第１収容部の収容面と前記第２収容部の少なくとも一部の収容面との摩擦抵抗が異なる、
包装体。
【請求項２】
前記第２収容部の少なくとも一部の収容面が凹凸を有する、
前記請求項１に記載の包装体。
【請求項３】
対向配置される前記フィルムを熱によって袋状にシールした包装体であって、
前記仕切りは、対向配置される前記フィルムの一部を熱によってシールして形成される、
前記請求項１又は２に記載の包装体。
【請求項４】
前記第１収容部と前記第２収容部との境界上に、前記仕切りと、前記第１収容部と前記第２収容部とが通じる１以上の第４開口を備える、
前記請求項１乃至３の何れか１項に記載の包装体。
【請求項５】
前記仕切りは、対向配置される前記フィルムの一部を熱によって破線状にシールして形成される、
前記請求項３又は４に記載の包装体。
【請求項６】
前記第１収容部の開口は前記第１サイズから第３サイズまで拡大可能に構成される、
前記請求項１乃至５の何れか１項に記載の包装体。
【発明の詳細な説明】
【技術分野】
【０００１】
本発明の実施形態は、食品、医薬品、化粧品、化学品等の内容物を包装する包装体、例えば耐久性、形の自由度、柔軟度、操作性からさまざまな場面で活用されるプラスチック材料などから形成される包装体に関する。
【背景技術】
【０００２】
例えば、複数種類の食材を分けて収容する食材包装体が知られている。この食材包装体は、複数種類の食材を収容するための複数の収納部を備え、これら複数の収納部は、調理過程において使用される順番に複数の食材を分けて収容する。さらに、これら複数の収納部のサイズは、食材のボリュームに応じたサイズになっており、また、これら複数の収納部に対応する複数の開口は均一サイズになっている。ユーザは、食材包装体により１箇所にまとめられた複数種類の食材を１種類ずつ取り出すことができる。
【０００３】
上記以外にも、同時に食される複数種類の菓子などの内容物を収容する包装体が知られている。このような場合、包装体は、複数種類の内容物を混在して収容する。ユーザは、包装体からこれら複数種類の内容物を混在した状態で取り出して、複数種類の内容物を同時に食することができる。
【先行技術文献】
【特許文献】
【０００４】
【特許文献１】特開２０１３−２２７０２８
【発明の概要】
【発明が解決しようとする課題】
【０００５】
例えば、出荷時、包装体に収容された複数種類の内容物が混在した状態であっても、各内容物の比重の違いなどによって、一部の種類の内容物は、包装体内の下部へ集まり、他の種類の内容物は、包装内の上部へ集まることがある。
【０００６】
このような場合、最初に一部の種類の内容物ばかりが取り出され、後に他の種類の内容物ばかりが取り出されてしまい、複数種類の内容物を混在した状態で取り出し難いという課題がある。
【０００７】
上記の課題を解決するために、複数種類の内容物を所望の比率で出し易くするための包装体を提供することを目的とする。
【課題を解決するための手段】
【０００８】
上記課題を解決するために、実施形態に係る包装体は、複数の内容物を収容するための複数の収容部と、これら複数の収容部に収容される複数の内容物を区別するための１以上の仕切りを備える。例えば、包装体は、第１サイズに開口可能で、開口された第１サイズの第１開口から出される第１内容物を第１容積まで収容可能に構成された第１収容部と、前記第１サイズと異なる第２サイズに開口可能で、開口された第２サイズの第２開口から出される第２内容物を第２容積まで収容可能に構成された第２収容部と、を備える。さらに包装体は、第１収容部に収容される第１内容物及び第２収容部に収容される第２内容物を区別する仕切りを備える。また、第１サイズ及び第２サイズのサイズ比と第１容積及び第２容積の容積比とが異なる。また、第１収容部の収容面と第２収容部の少なくとも一部の収容面との摩擦抵抗が異なる。
【発明の効果】
【０００９】
実施形態に係る包装体は、複数の収容部、例えば第１収容部と第２収容部及び仕切りを用いて、複数種類の内容物、例えば第１内容物と第２内容物を分けて収容する。第１収容部に対応する第１開口の第１サイズと第２収容部に対応する第２開口の第２サイズの開口サイズ比に応じた所望の比率で第１内容物及び第２内容物が出し易くなる。
【図面の簡単な説明】
【００１０】
【図１】図１は、第１実施形態に係る包装袋の例を示す図である。
【図２】図２は、第２実施形態に係る包装袋の例を示す図である。
【図３】図３は、第３実施形態に係る包装袋の例を示す図である。
【図４】図４は、第４実施形態に係る包装袋の例を示す図である。
【図５】図５は、第５実施形態に係る包装袋の例を示す図である。
【図６】図６は、第６実施形態に係るタブレットの例の上面図である。
【図７】図７は、第６実施形態に係るタブレットの例の側面図である。
【図８】図８は、第６実施形態に係るタブレットの例の上面図である。
【図９】図９は、第６実施形態に係るタブレットの例の側面図である。
【図１０】図１０は、第７実施形態に係るタブレットの例の側面図である。
【図１１】図１１は、第７実施形態に係るタブレットの例の側面図である。
【発明を実施するための形態】
【００１１】
以下、図面を参照しながら説明する。
【００１２】
（第１実施形態）
まず、第１実施形態について説明する。  
第１実施形態に係る包装体は、フィルムを袋状に形成した包装袋である。  
図１は、第１実施形態に係る包装袋１の例を示す。
【００１３】
図１が示すように、第１実施形態に係る包装袋１は、フィルム２から構成される。
【００１４】
包装袋１は、フィルム２を折り返して形成される袋下端部４、フィルム２の両端をシールすることで形成されるシール部５ａ並びに５ｂ、収容部３ａと収容部３ｂとを仕切る仕切り６、内容物が通過する速度を調整する調整部７、袋上端部１０を閉じるチャック８、チャック８の引き手９、及び、引き手９の動作を制限するストッパ１１などを備える。
【００１５】
たとえば、包装袋１は、１枚のフィルムを所定の大きさのフィルム２にカットして、カットされたフィルム２を袋下端部４で折り返して、対向配置されるフィルム２の両端にあるシール部５ａ及び５ｂをシールして形成される。
【００１６】
袋上端部１０は、少なくとも一部がシールされておらず、開口部１２ａ及び１２ｂを形成する。
【００１７】
また、包装袋１は、ある側面でフィルム２を折り返して、対向配置されるフィルム２の他の側面と袋下端部４とをシールして形成されてもよい。また、包装袋１は、対向配置される２枚のフィルム２の両端と袋下端部４とをシールして形成されてもよい。
【００１８】
なお、包装袋１は、三方シール袋、合掌シール袋又はガゼットシール袋などであってもよい。
【００１９】
包装袋１は、内容物を収容する収容部３ａ（第１収容部）及び収容部３ｂ（第２収容部）を備える。収容部３ａは、ストッパ１１で制限される第１サイズＳ１に開口可能で、開口された第１サイズＳ１の第１開口から出される内容物１５（第１内容物）を第１容積まで収容可能に構成される。収容部３ｂは、第１サイズＳ１と異なる第２サイズＳ２に開口可能で、開口された第２サイズＳ２の第２開口から出される内容物１６（第２内容物）を第２容積まで収容可能に構成される。さらに、収容部３ａは、ストッパ１１の制限を越えて第１サイズＳ１より大きい第３サイズＳ３まで拡大可能に構成される。  
収容部３ａ及び収容部３ｂは、対向配置の関係にある、前面のフィルム２と背面のフィルム２との内面同士がシールされていない領域によって形成される空間である。収容部３ａは、引き手９の移動に応じてサイズ可変な開口部１２ａを有し、開口部１２ａは第１サイズＳ１に開口可能であり、また最大で第３サイズＳ３まで開口可能である。また、収容部３ｂは、引き手９の移動に応じてサイズ可変な開口部１２ｂ（第２開口）を有し、開口部１２ｂは第２サイズＳ２まで開口可能である。そのため、袋上端部１０が開封状態である場合に、外部から収容部３ａ及び収容部３ｂへアクセスすることができる。その結果、外部から収容部３ａ及び収容部３ｂへ、内容物を投入し、又は、収容部３ａ及び収容部３ｂに収容された内容物を外部へ取り出すことができる。  
収容部３ａは、複数個の内容物１５（第１内容物に対応）を収容する。たとえば、内容物１５は、三日月状の米菓子である。ここでは、収容部３ａは、１２個の内容物１５を収容する。
【００２０】
収容部３ｂは、複数個の内容物１６（第２内容物に対応）を収容する。たとえば、内容物１６は、球状のナッツ類である。ここでは、収容部３ｂは、５個の内容物１６を収容する。
【００２１】
内容物１５又は内容物１６は、他の菓子であってもよい。また、内容物１５又は内容物１６は、健康食品、サプリメント、又は医薬品であってもよい。また、内容物１５又は１６は、これら以外であってもよく、部品などの工業製品であってもよい。内容物１５又は内容物１６は、特定のものに限定されるものではない。
【００２２】
また、収容部３ａ又は収容部３ｂがそれぞれ収容する内容物１５又は内容物１６の個数は、特定の個数に限定されるものではない。
【００２３】
フィルム２は、内容物１５又は内容物１６を包装することができる素材から構成される。たとえば、フィルム２は、プラスチックフィルムである。また、フィルム２は、複数の層から構成される積層体フィルムであってもよい。
【００２４】
ここでは、フィルム２は、外層、中間層及び内層から構成されるものとする。
【００２５】
たとえば、フィルム２の外層は、ポリエステル系、ポリアミド系、ポリプロピレン系、ポリカーボネート系、又は、セロファン等のフィルムなどであってもよい。また、フィルム２の外層は、内容物などを示す画像が印刷されることがあるために、印刷適性のあるものであってもよい。たとえば、フィルム２の外層は、２軸方向に延伸した延伸フィルムなどであってもよい。
【００２６】
また、フィルム２の内層が加熱によってシールする場合、フィルム２の外層は、シールのための加熱によって融解しないものである。
【００２７】
たとえば、フィルム２の外層は、ポリエチレンテレフタレートの２軸延伸フィルム、又は、再生樹脂を使用したポリエチレンテレフタレートなどである。
【００２８】
なお、フィルム２の外層は、ポリアミド系やポリプロピレン系などの無延伸のフィルムなどであってもよい。
【００２９】
また、外層は、フィルム２に要求される強度又は合成などが得られる最低限の厚さであればよい。また、外層は、フィルム２が容易に切り裂くことができる厚みでもある。たとえば、外層は、１２〜２５μｍ程度である。
【００３０】
フィルム２の中間層は、外層の内側に、アルミニウム、酸化珪素、酸化アルミニウム、酸化インジウム、酸化錫、又は、酸化ジルコニウムなどを蒸着して形成した蒸着層などである。このような蒸着層は、収容部３ａ又は収容部３ｂに水分又は酸素などが進入することを防止する。また、蒸着層は、フィルム２のカット容易性を向上させることができる。
【００３１】
また、中間層は、アルミニウム、鉄、又は、銅等の金属箔であってもよい。また、中間層は、ポリエチレンテレフタレート、ポリアミド、ポリエチレン又はポリプロピレン等のポリオレフィンなどであってもよい。また、中間層は、ポリ塩化ビニール、ポリカーボネート、ポリビニールアルコール、エチレン−プロピレン共重合体、エチレン−酢酸ビニール共重合体ケン化物、酸化珪素、酸化アルミニウム、酸化インジウム、酸化錫、又は、酸化ジルコニウムなどであってもよい。また、中間層は、紙であってもよい。
【００３２】
中間層は、これらを単体又は複数種類組み合わせたものであってもよい。
【００３３】
フィルム２は、中間層を設けることで、ガスバリア性、水蒸気バリア性、機械的強度、耐屈曲性、耐突き刺し性、耐衝撃性、耐磨耗性、耐寒性、耐熱性、耐薬品性、遮光性等を向上させ、内容物１５又は内容物１６の劣化を防ぐことが可能となる。
【００３４】
フィルム２の内層は、熱より融解し相互に接着する素材から形成される。たとえば、フィルム２の内層は、高圧法低密度ポリエチレン、直鎖状低密度ポリエチレン、中密度ポリエチレン、高密度ポリエチレン、ポリプロピレン、エチレン−プロピレン共重合体、エチレン−酢酸ビニール共重合体、アイオノマー樹脂、エチレン−アクリル酸共重合体、エチレン−アクリル酸エステル共重合体、又は、エチレン−メタクリル酸共重合体（ＥＭＭＡ）などである。
【００３５】
また、内層は、これらを単体又は複数種類組み合わせたものであってもよい。
【００３６】
また、内層の厚みは、１５〜１００μｍ程度であってもよい。
【００３７】
なお、内層は、ウエットラミネーション方法、ドライラミネーション方法、ノンソルベントドライラミネーション方法、ホットメルトラミネーション方法、エクストルージョンラミネーション方法、又は、前記エクストルージョンラミネーション方法を利用したサンドイッチラミネーション方法などによって接着されるものであってもよい。
【００３８】
なお、フィルム２を構成する外層、中間層及び内層の素材は、特定の構成に限定されるものではない。
【００３９】
仕切り６は、包装袋１内の空間を分割し、収容部３ａに収容される内容物１５及び収容部３ｂに収容される内容物１６を区別する。ここでは、仕切り６は、包装袋１内の空間を収容部３ａ及び収容部３ｂに分割する。仕切り６は、対向配置される前面のフィルム２と背面のフィルム２との内面同士を一部熱によって接着することで形成される。たとえば、仕切り６は、フィルム２を袋下端部４で折りたたんだ後に、熱した棒状の小手を押し当てて形成される。
【００４０】
仕切り６は、ストッパ１１までチャック８を開封した場合に、内容物１５と内容物１６とが所望の比率で取り出されるように形成される。言い換えれば、内容物１５と内容物１６とが第１サイズＳ１と第２サイズＳ２の開口サイズ比に応じた所望の比率で取り出し可能となる。たとえば、内容物１５が取り出される割合を増やす場合には、仕切り６は、収容部３ａ側の開口部１２ａが大きくなるように（即ち、図１においてより右側に）形成される。逆に、内容物１５が取り出される割合を減らす場合には、仕切り６は、収容部３ａ側の開口部１２ａが狭くなるように（即ち、図１においてより左側に）形成される。  
なお、仕切り６の位置は、特定の位置に限定されるものではない。
【００４１】
なお、仕切り６は、仕切り用のフィルムであってもよい。たとえば、仕切り６を構成する仕切りフィルムは、包装袋１の内部において、ある側面を前面のフィルム２に接着し、他の側面を背面のフィルム２に他端を接着してもよい。
【００４２】
調整部７は、収容部３ｂが収容する内容物１６が開口部１２ｂから出る速度を調整する。即ち、調整部７は、開口部１２ａ及び開口部１２ｂからそれぞれ内容物１５及び内容物１６が所望の割合で取り出されるように内容物１６の速度を調整する。
【００４３】
たとえば、調整部７は、内容物１６が開口部１２ｂから出る速度を遅くする。たとえば、調整部７は、内容物１６が滑る速度を遅くするように構成される。たとえば、調整部７は、収容部３ｂ内の凹凸である。
【００４４】
たとえば、調整部７は、凹凸を形成するコーティング材によって形成されてもよい。また、調整部７は、レーザーをフィルム２上に照射することで形成されてもよい。また、調整部７は、凹凸のあるローラを加熱しフィルム２を加熱されたローラを押し当てることで形成されてもよい。
【００４５】
また、調整部７は、凹凸でなくともよい。たとえば、調整部７は、摩擦抵抗の大きなコーティング材をフィルム２上に塗布することで形成される層であってもよい。
【００４６】
また、調整部７は、内容物１６が開口部１２ｂから出る速度を速くしてもよい。たとえば、調整部７は、内容物１６が滑る速度を早くするように構成される。たとえば、調整部７は、フィルム２上をシリコン処理することで形成される層であってもよい。
【００４７】
なお、調整部７は、収容部３ａ内に形成されてもよい。また、調整部７は、収容部３ａと収容部３ｂとの両者内に、互いに異なる速度で内容物１５及び１６が出るように形成されてもよい。即ち、包装袋１は、収容部３ａ又は収容部３ｂの少なくとも１つに、調整部を備える。
【００４８】
調整部７の位置、形状、及び、形成方法は、特定の構成に限定されるものではない。補足すると、調整部７により、収容部３ａの収容面の摩擦抵抗と収容部３ｂの収容面の摩擦抵抗とが異なる値に調整されている。なお、収容部３ｂの一部の収容面（収容面全体の半分の面積）に調整部７を配置してもよい。例えば、収容部３ｂの一部の収容面、開口側に依った一部の収容面に調整部７を配置し、開口付近で内容物１６の速度を遅くするようにしてもよい。この場合、調整部７を小さくすることでコストを下げることができ、また、調整部７を小さくすることで外側からの内容物１６の見栄えをよくすることができる。
【００４９】
チャック８は、袋上端部１０を封緘する。たとえば、チャック８は、前面のフィルム２と背面のフィルム２との内側に直線上に形成された凹凸などである。
【００５０】
チャック８は、引き手９によって開閉される。即ち、引き手９を左右に移動させることで、袋上端部１０は、開閉される。図１が示す例では、引き手９の右側は、開封しており、引き手９の左側は、封緘している。
【００５１】
ストッパ１１は、引き手９の動作範囲を制限する。即ち、引き手９は、ストッパ１１がある位置で引っかかり停止する。ストッパ１１は、内容物１５及び１６が所望の比率で取り出されるように、開口部１２ａの幅を制限する。
【００５２】
図１に示す例においては、引き手９は、ストッパ１１よりも左に動かすことができない。即ち、袋上端部１０は、ストッパ１１がある位置までしか開封されない。
【００５３】
したがって、開口部１２ａの幅は、収容部３ａの幅よりも短くなる。そのため、開口部１２ｂの幅に対する開口部１２ａの幅の比率は、収容部３ｂの第２容積に対する収容部３ａの第１容積の比率より小さくなる。換言すれば、引き手９の移動により、収容部３ａに対応する開口を第１サイズＳ１に調整することにより（このとき収容部３ｂに対応する開口は第２サイズＳ２に調整される）、例えば、第１サイズＳ１及び第２サイズＳ２の開口サイズ比と、収容部３ａの第１容積及び収容部３ｂの第２容積の容積比とは対応せず異なる比率となる。この場合、包装袋１は、上記容積比に応じた比率（ａ：ｂ）で、内容物１５及び内容物１６を収容することができ、開口サイズ比に応じた比率（ｃ：ｄ）で、内容物１５及び内容物１６を出し易くすることができる。
【００５４】
このように、開口サイズ比と容積比とが異なる場合、たとえば、内容物１５及び内容物１６を同時に放出していくうちに、内容物１５及び内容物１６のうちの一方が先に無くなることも考えられる。このような場合であっても、一定量までは所望の比率で内容物１５及び内容物１６を同時に放出することができる。また、開口サイズ比と容積比のそれぞれを独立して調整することができるので、内容物１５及び内容物１６をどのような割合で収容したいか、また内容物１５及び内容物１６をどのような割合で放出したいかの要望に応じて容易に包装袋１を設計することができる。
【００５５】
なお、ストッパ１１は、引き手９の動作に引っかかりを与えるものであってもよい。即ち、引き手９がストッパ１１に引っかかった後にさらに応力を印加した場合には、引き手９は、ストッパ１１を超えて移動してもよい。図１が示す例においては、引き手９は、ストッパ１１よりもさらに左側に移動することができてもよい。
【００５６】
この場合、開口部１２ａは、開口部１２ｂの幅に対する開口部１２ａの幅の比率は、収容部３ｂの第２容積に対する収容部３ａの第１容積の比率と同一になるまで、広がることができる。即ち、開口部１２ａは、引き手９の移動に応じて、開口サイズ可変であり、引き手９がストッパ１１に引っかかった状態では、開口部１２ａは第１サイズＳ２で開口し、引き手９が左端（終端）まで移動した状態では、開口部１２ａは第３サイズＳ３で開口する。開口部１２ａが第３サイズＳ３で開口した状態では、開口サイズ比と容積比とが実質同じになる。
【００５７】
なお、包装袋１は、２つ以上の仕切り６を備えてもよい。  
また、包装袋１は、調整部７又はストッパ１１を備えなくてもよい。  
また、包装袋１は、チャック８以外を用いて袋上端部１０を封緘してもよい。
【００５８】
以上のように構成された包装袋１は、仕切り６を用いて内容物１５と内容物１６とを分割して収容することができる。その結果、内容物１５と内容物１６とは、両者の比重に関わらずに、同時に開口部１２ａ及び開口部１２ｂから取り出すことができる。そのため、包装袋１は、内容物１５又は内容物１６の何れかが下部に沈殿し、沈殿した内容物１５又は１６を取り出せなくなることを防止することができる。
【００５９】
また、仕切り６の位置を調整することで、内容物１５が外部へ取り出される開口部１２ａの幅と、内容物１６が外部へ取り出される開口部１２ｂの幅とを変更することができる。その結果、内容物１５が包装袋１から出る量と内容物１６が包装袋１から出る量とが所望の状態に調整される。
【００６０】
また、包装袋１は、ストッパ１１によって、開口部１２ａの幅を調整することができる。その結果、内容物１５が包装袋１から出る量が調整される。
【００６１】
また、包装袋１は、内部に調整部７を設けることで、内容物１６が開口部１２ｂから出る速度を調整することができる。その結果、内容物１６が包装袋１から出る量が所望の状態に調整される。
【００６２】
包装袋１は、仕切り６、調整部７及びストッパ１１などによって、内容物１５が包装袋１から出る量と、内容物１６が包装袋１から出る量とを調整することができる。その結果、包装袋１は、内容物１５と内容物１６とを、所望の比率で外部に放出する。
【００６３】
（第２実施形態）
次に、第２実施形態について説明する。  
第２実施形態に係る包装袋１は、仕切り６の上端及び下端に隙間６ａ及び隙間６ｂが形成される点で第１実施形態に係る包装袋１と異なる。したがって、その他の部位については同一の符号を付して詳細な説明を省略する。
【００６４】
図２は、第２実施形態に係る包装袋１を示す図である。  
図２が示すように、包装袋１は、さらに、仕切り上端及び下端にそれぞれ隙間６ａ（第４開口）及び隙間６ｂ（第４開口）を備える。
【００６５】
隙間６ａは、仕切り６に上端に形成される隙間である。隙間６ｂは、仕切り６に下端に形成される隙間である。即ち、包装袋１は、収容部３ａと収容部３ｂとの境界上に仕切り６と隙間６ａ及び隙間６ｂを備える。
【００６６】
隙間６ａ及び隙間６ｂは、収容部３ａ及び収容部３ｂを互いに通じさせる。即ち、収容部３ａ及び収容部３ｂが隙間６ａ及び隙間６ｂで互いに通じる。
【００６７】
たとえば、隙間６ａ及び隙間６ｂは、前面のフィルム２と背面のフィルム２との内面同士をシールしないことで形成される。即ち、仕切り６は、上端及び下端に隙間６ａ及び隙間６ｂが形成されるように、包装袋１内に形成される。
【００６８】
隙間６ａ及び隙間６ｂの幅（サイズ）は、内容物１５と内容物１６とが通過できない幅（サイズ）である。たとえば、隙間６ａ及び隙間６ｂの幅は、内容物１５の幅と内容物１６の幅との小さい方の幅よりも狭くともよい。
【００６９】
たとえば、隙間６ａ及び隙間６ｂは、収容部３ａ又は収容部３ｂの深さよりも短い棒状の小手を熱し、袋下端部４で折りたたんだフィルム２に上端及び下端が空くように当該小手を押し当てて形成される。
【００７０】
なお、包装袋１は、隙間６ａ又は隙間６ｂの何れかを備えてもよい。
【００７１】
以上のように構成された包装袋１は、収容部３ａと収容部３ｂとが隙間６ａ及び隙間６ｂを通じて互いに空気を通じることができる。そのため、包装袋１は、収容部３ａ又は収容部３ｂの何れかが乾燥剤、脱酸素剤又はエタノール蒸散剤などの品質保持剤を収容すれば、他方の収容部３ａ又は３ｂに対しても品質保持剤の効果を及ぼすことができる。
【００７２】
また、隙間６ａ及び隙間６ｂは、内容物１５及び内容物１６が通過できない幅を持っている。そのため、包装袋１内で、内容物１５と内容物１６とが混ざり合わない。
【００７３】
したがって、包装袋１は、第１実施形態に係る包装袋１が持つ利点に加えて、一方の収容部が収容する品質保持剤の効果を他方の収容部へ及ぼすことができるという利点を有する。
【００７４】
（第３実施形態）
次に、第３実施形態について説明する。  
第３実施形態に係る包装袋１は、仕切り６が破線状に形成される点で第１実施形態に係る包装袋１と異なる。したがって、その他の部位については同一の符号を付して詳細な説明を省略する。
【００７５】
図３は、第３実施形態に係る包装袋１を示す図である。  
図３が示すように、包装袋１は、破線状にシールされることで形成された仕切り６を備える。  
仕切り６は、破線状に、前面のフィルム２と背面のフィルム２とがシールされたシール部と、シールされていない非シール部と交互に繰り返す構造となっている。
【００７６】
シール部は、対向配置される前面のフィルム２の一部と背面のフィルム２の一部とが熱でシールされている。仕切り６が含むシール部の個数は、特定の個数に限定されるものではない。
【００７７】
非シール部は、前面のフィルム２と背面のフィルム２とが熱でシールされていない。非シール部は、収容部３ａ及び収容部３ｂを互いに通じさせる。即ち、収容部３ａ及び収容部３ｂが非シール部で互いに通じる。
【００７８】
非シール部の幅（即ち、シール部同士の間隔）は、内容物１５と内容物１６とが通過できない幅である。たとえば、非シール部の幅は、内容物１５の幅と内容物１６の幅との小さい方の幅よりも狭くともよい。
【００７９】
たとえば、仕切り６は、破線状に凹凸のある棒状の小手を熱し、袋下端部４で折りたたんだフィルム２に当該小手を押し当てて形成される。
【００８０】
なお、仕切り６は、一部が破線状であってもよい。
【００８１】
以上のように構成された包装袋１は、収容部３ａと収容部３ｂとが仕切り６の非シール部を通じて互いに空気を通じることができる。そのため、包装袋１は、収容部３ａ又は収容部３ｂとの何れかが乾燥剤、脱酸素剤又はエタノール蒸散剤などの品質保持剤を収容すれば、他方の収容部３ａ又は３ｂに対しても品質保持剤の効果を及ぼすことができる。また、包装袋１は、収容部３ａと収容部３ｂとを通じさせる非シール部を仕切り６上に複数個備えることができる。そのため、包装袋１は、第２実施形態に係る包装袋１と比較して、一方の収容部が収容する品質保持剤の効果をより効果的に他方の収容部へ及ぼすことができる。
【００８２】
また、非シール部は、内容物１５及び内容物１６が通過できない幅を持っている。そのため、包装袋１内で、内容物１５と内容物１６とが混ざり合わない。
【００８３】
したがって、包装袋１は、第１実施形態に係る包装袋１の利点に加えて、第２実施形態に係る包装袋１と比較してより効果的に一方の収容部が収容する品質保持剤の効果を他方の収容部へ及ぼすことができるという利点を有する。
【００８４】
（第４実施形態）
次に、第４実施形態について説明する。  
第４実施形態に係る包装袋１は、袋上端部１０がシール部によって封緘されている点で第１実施形態に係る包装袋１と異なる。したがって、その他の部位については同一の符号を付して詳細な説明を省略する。
【００８５】
図４は、第４実施形態に係る包装袋１を示す図である。  
図４が示すように、包装袋１は、袋上端部１０を封緘するシール部５ｃ及びシール部５ｄなどを備える。
【００８６】
シール部５ｃは、第１実施形態に係るストッパ１１がある位置からシール部５ａまでの袋上端部１０をシールする。
【００８７】
シール部５ｄは、第１実施形態に係るストッパ１１がある位置からシール部５ｂまでの袋上端部１０をシールする。シール部５ｄは、シール部５ｃよりも容易に開封することができるように封緘される。たとえば、シール部５ｄは、包装袋１の前面と背面とを互いに開く方向に応力が印加された場合に、シール部５ｃよりも容易に開封される。
【００８８】
たとえば、シール部５ｄは、シール部５ｃよりも狭い幅でシールされてもよい。また、シール部５ｄは、熱圧着された場合にシール部５ｃよりも弱い接着力を持つ素材で形成されてもよい。また、シール部５ｄは、シール部５ｃよりも弱い粘着力を持つ素材で形成され、かつ、シール部５ｃよりも狭い幅でシールされてもよい。
【００８９】
なお、第４実施形態に係る包装袋１は、第２実施形態又は第３実施形態に係る包装袋１の特徴を備えてもよい。
【００９０】
以上のように構成された包装袋１は、利用者にシール部５ｄを容易に開封させることができる。そのため、利用者が包装袋１を開封すると、シール部５ｄが開封され、シール部５ｃは、開封されない。
【００９１】
また、前述の通り、シール部５ｄは、第１実施形態に係るストッパ１１がある位置からシール部５ｂまでをシールしている。即ち、シール部５ｄが開封されると、内容物１５と内容物１６とは、所望の比率で取り出される。
【００９２】
そのため、利用者が包装袋１を開封するとシール部５ｄが開封されると、内容物１５と内容物１６とが包装袋１から所望の比率で取り出される。
【００９３】
また、包装袋１は、開封後に袋上端部１０を封緘するための構成を必要としない。そのため、包装袋１は、第１実施形態に係る包装袋１の利点に加えて、低コストで製造できるという利点を有する。
【００９４】
（第５実施形態）
次に、第５実施形態について説明する。  
第５実施形態に係る包装袋１は、仕切り６がシート状であり前面のフィルム２に接着されている点で、第１実施形態に係る包装袋１と異なる。したがって、その他の部位については同一の符号を付して詳細な説明を省略する。
【００９５】
図５は、第５実施形態に係る包装袋１が開封している状態の上面図である。  
図５が示すように、包装袋１は、シート状であって前面のフィルム２に接着された仕切り６を備える。
【００９６】
仕切り６は、上端を除く縁を前面のフィルム２の内層と接着される。仕切り６の中央部は、前面のフィルム２とは接着されない。即ち、仕切り６は、ポケット状に、前面のフィルム２に接着される。
【００９７】
仕切り６は、内部に収容部３ｂを形成する。即ち、仕切り６と前面のフィルム２とが、収容部３ｂを形成する。また、仕切り６は、背面のフィルム２との間に収容部３を形成する。
【００９８】
また、仕切り６は、内容物１５と内容物１６とが所望の比率で取り出されるように形成される。
【００９９】
なお、仕切り６は、内面に調整部７を備えてもよい。
【０１００】
また、仕切り６の縁は、一部前面のフィルム２に接着されていなくともよい。これにより、包装袋１は、収容部３ａ又は収容部３ｂとの何れかが収容する品質保持剤の効果を他方の収容部３ａ又は収容部３ｂに対しても及ぼすことができる。
【０１０１】
以上のように構成された包装袋１は、前面に内容物１６を配置することができる。そのため、包装袋１は、内容物１６を外部から容易に視認させることができる。その結果、包装袋１は、内容物１６を収容していることを容易に外部にディスプレイすることができる。
【０１０２】
（第６実施形態）
次に、第６実施形態について説明する。  
第６実施形態に係る包装体は、プラスチックなどの固形素材から構成されるタブレットである。たとえば、タブレットは、対向配置される上箱と下箱とから形成され、上箱と下箱とをスライド（或いは上箱と下箱のうちの一方をスライド）することで開封する。
【０１０３】
図６は、第６実施形態に係るタブレット２１が封緘している状態の上面図である。  
また、図７は、第６実施形態に係るタブレット２１が封緘している状態の側面図である。
【０１０４】
図８は、第６実施形態に係るタブレット２１が開封している状態の上面図である。  
また、図９は、第６実施形態に係るタブレット２１が開封している状態の側面図である。
【０１０５】
図６乃至９が示すように、タブレット２１は、下箱３０と、上箱４０とから構成される。下箱３０と上箱４０とは、互いにスライドするように構成される。タブレット２１は、下箱３０と上箱４０とがスライドすることで開封又は封緘する。
【０１０６】
下箱３０は、底板３１、外壁板３２ａ乃至ｄ、仕切り３３、ストッパ３４、及び、凸部３５（堆積部）などを備える。
【０１０７】
底板３１は、下箱３０の下面を形成する矩形状の板である。
【０１０８】
外壁板３２ａ乃至ｄは、底板３１の各縁から立直した矩形状の板である。
【０１０９】
外壁板３２ａ及びｃは、スライド方向と垂直な方向に形成される外壁板である。また、外壁板３２ａは、外部に露出する外壁板である。外壁板３２ｃは、タブレット２１の内部に形成された外壁板である。
【０１１０】
また、外壁板３２ｂ及びｄは、スライド方向と平行に形成される外壁板である。
【０１１１】
仕切り３３は、前記上箱と前記下箱の間の内部の空間を収容部３６ａ（第１収容部）と収容部３６ｂ（第２収容部）とに仕切る。言い換えれば、仕切り３３は、収容部３６ａに収容される内容物１５と収容部３６ｂに収容される内容物１６を区別する。  
仕切り３３は、上箱４０（又は下箱３０）がスライドする方向と平行に形成される。また、仕切り３３は、タブレット２１をスライドして開封したときであっても、外部から見えない領域に形成されてもよい。
【０１１２】
仕切り３３は、下箱３０の外壁の高さより高くてもよいし、外壁の高さと同等又はよりも低くてもよい。
【０１１３】
ストッパ３４は、上箱４０がスライドする範囲を制限する。即ち、ストッパ３４は、上箱４０がスライドして下箱３０が露出する範囲（即ち、タブレット２１が開封する範囲）を制限する。たとえば、ストッパ３４は、上箱４０のストッパ４３と互いに引っかかるように構成されてもよい。  
なお、下箱３０は、複数個のストッパ３４を備えてもよい。
【０１１４】
凸部３５は、タブレット２１が開封したときに、所望の量の内容物１５又は内容物１６が取り出せるように形成される。即ち、凸部３５は、収容部３６ａ及び収容部３６ｂの一部に形成され、内容物１５及び内容物１６の一部を堆積可能に構成される。
【０１１５】
たとえば、凸部３５は、開封時に露出する露出領域３７に所望の量の内容物１５及び内容物１６が堆積するように形成される。露出領域３７は、外壁板３２ａと、開封時に露出する外壁板３２ｂ及びｄと、によって形成される。即ち、タブレット２１が開封した場合に、所望の量の内容物１５又は内容物１６が露出領域３７に堆積する。
【０１１６】
たとえば、凸部３５は、タブレット２１が開封したときに露出する露出領域３７より内側に形成される頂点と、頂点から外壁板３２ａに向かって下降する斜面と、を有する。
【０１１７】
上箱４０は、上板４１、外壁板４２ａ乃至ｄ、及び、ストッパ４３などを備える。
【０１１８】
上板４１は、上箱４０の上面を形成する矩形状の板である。上箱４０が下箱３０を覆うため、上板４１は、底板３１よりも大きく形成される。
【０１１９】
外壁板４２ａ乃至ｄは、上板４１の各縁に立直する矩形状の板である。
【０１２０】
外壁板４２ａ及びｃは、スライド方向と垂直な方向に形成される外壁板である。外壁板４２ａは、露出領域３７側に形成される外壁板である。また、外壁板４２ｃは、外壁板４２ａに対面する外壁板である。
【０１２１】
また、外壁板４２ｂ及びｄは、スライド方向と平行に形成される外壁板である。
【０１２２】
ストッパ４３は、上箱４０がスライドする範囲を制限する。即ち、ストッパ４３は、上箱４０がスライドして下箱３０が露出する範囲（即ち、タブレット２１が開封する範囲）を制限する。たとえば、ストッパ４３は、下箱３０のストッパ３４と互いに引っかかるように構成されてもよい。  
なお、上箱４０は、複数個のストッパ４３を備えてもよい。
【０１２３】
たとえば、下箱３０及び上箱４０は、プラスチックなどの固形の合成樹脂などから構成される。たとえば、下箱３０及び上箱４０は、アクリルスチレンなどから構成される。下箱３０及び上箱４０を構成する素材は、特定の構成に限定されるものではない。
【０１２４】
たとえば、下箱３０及び上箱４０は、射出形成で形成される。下箱３０及び上箱４０形成方法は、特定の構成に限定されるものではない。
【０１２５】
タブレット２１は、下箱３０の開放部に上箱４０を被せて形成される。下箱３０の外壁板３２ａが外部に面し、上箱４０の外壁板４２ａが外壁板３２ａの内側になるように、上箱４０は、下箱３０にセットされる。
【０１２６】
タブレット２１は、外壁板３２ａと外壁板４２ａとが接触することで、封緘する。
【０１２７】
また、タブレット２１は、ストッパ３４とストッパ４３とが接触するまで下箱３０と上箱４０とがスライドすることで、露出領域３７を形成する。即ち、タブレット２１は、下箱３０と上箱４０とがスライドすることで、開封され、凸部３５に堆積された内容物１５及び内容物１６（露出領域３７の内容物１５及び内容物１６）が露出する。
【０１２８】
タブレット２１は、スライドして開封すると、露出領域３７に凸部３５が堆積した内容物１５及び内容物１６を外部に出すことができる。即ち、タブレット２１は、上箱４０と下箱３０とをスライドして凸部３５に堆積された内容物１５及び内容物１６の少なくとも一部を露出可能に構成される。
【０１２９】
タブレット２１は、収容部３ａ及び収容部３ｂにそれぞれ内容物１５及び内容物１６を収容する。内容物１５及び内容物１６は、第１実施形態のそれらと同様であるので、説明を省略する。
【０１３０】
なお、仕切り３３は、収容部３ａと収容部３ｂとが互いに通じるように一部に穴、又は、切れ目などを備えてもよい。
【０１３１】
また、タブレット２１は、複数個の仕切り３３を備えてもよい。
【０１３２】
また、タブレット２１は、収容部３ａ又は／及び収容部３ｂ内に、内容物１５又は１６が移動する速度を調整する調整部を設けてもよい。
【０１３３】
以上のように構成されるタブレット２１は、仕切り３３を用いて内容物１５と内容物１６とを分割して収容することができる。その結果、内容物１５と内容物１６とは、両者の比重に関わらずに、同時に露出領域３７へ放出される。そのため、タブレット２１は、内容物１５又は内容物１６の何れかが奥に集まり、集まった内容物１５又は１６を取り出せなくなることを防止することができる。
【０１３４】
また、仕切り３３の位置を調整することで、内容物１５が露出領域３７へ放出される開口の大きさと、内容物１６が露出領域３７へ放出される開口の大きさとを変更することができる。その結果、内容物１５が露出領域３７へ放出される量と内容物１６が露出領域３７へ放出される量とが所望の状態に調整される。
【０１３５】
また、タブレット２１が開封する場合、上箱４０の外壁板４２ａは、不要な内容物１５及び内容物１６をそれぞれ収容部３ａ及び収容部３ｂへ押し戻す。そのため、露出領域３７には、所望の量の内容物１５及び内容物１６を堆積することができる。
【０１３６】
また、凸部３５の高さなどを調整することで、内容物１５及び内容物１６が露出領域３７へ放出される量が調整される。
【０１３７】
その結果、タブレット２１は、仕切り３３及び凸部３５などによって、内容物１５が露出領域３７へ放出される量と、内容物１６が露出領域３７へ放出される量とを調整することができる。したがって、タブレット２１は、開封状態において、内容物１５と内容物１６を所望の比率で外部に放出することができる。
【０１３８】
（第７実施形態）
次に、第７実施形態について説明する。  
第７実施形態に係るタブレット２１は、凸部３５が溝を備える点で、第６実施形態に係るタブレット２１と異なる。したがって、他の部位については同一の符号を付し、詳細な説明を省略する。
【０１３９】
図１０は、第７実施形態に係るタブレット２１が封緘している状態の側面図である。
【０１４０】
また、図１１は、第７実施形態に係るタブレット２１が開封している状態の側面図である。
【０１４１】
図１０及び図１１が示すように、タブレット２１は、露出領域３７に溝３８を備える。図１０及び図１１が示す例において、溝３８は、凸部３５上に形成される。
【０１４２】
溝３８は、内容物１５又は内容物１６の少なくとも１つをトラップする。溝３８は、所望の量の内容物１５又は内容物１６を露出領域３７に堆積させる。
【０１４３】
たとえば、溝３８は、内容物１５又は内容物１６を１つトラップする構造であってもよい。たとえば、溝３８は、内容物１５又は内容物１６の形状に沿った溝であってもよい。
【０１４４】
また、たとえば、溝３８は、スライド方向と垂直な方向に、所定の長さで形成された溝であってもよい。
【０１４５】
図１０及び図１１が示す例では、溝３８は、内容物１６をトラップする。溝３８は、内容物１６の形状に沿った半円状のくぼみである。溝３８は、内容物１６を半分程度収容することができる。たとえば、タブレット２１は、内容物１６の所望の個数と同数の溝３８を備えてもよい。
【０１４６】
タブレット２１は、複数個の溝３８を備えてもよい。また、タブレット２１は、互いに異なる溝３８を複数個備えてもよい。
【０１４７】
なお、タブレット２１は、内容物１５又は内容物１６をトラップする突起を備えてもよい。
【０１４８】
以上のように構成されたタブレット２１は、内容物１５又は内容物１６を溝３８にトラップすることができる。そのため、タブレット２１は、溝３８に内容物１５又は内容物１６を堆積させた状態で開封される。
【０１４９】
溝３８は、所望の量の内容物１５又は内容物１６をトラップする。そのため、溝３８は、より正確に所望の量の内容物１５又は内容物１６を露出領域３７に堆積させることができる。
【０１５０】
したがって、タブレット２１は、第６実施形態に係るタブレット２１よりも正確に内容物１５と内容物１６を所望の比率で外部に放出することができる。
以下に本件出願当初の特許請求の範囲に記載された発明を付記する。
［Ｃ１］
フィルムを袋状に形成した包装体であって、
第１サイズに開口可能で、開口された前記第１サイズの第１開口から出される第１内容物を第１容積まで収容可能に構成された第１収容部と、
前記第１サイズと異なる第２サイズに開口可能で、開口された前記第２サイズの第２開口から出される第２内容物を第２容積まで収容可能に構成された第２収容部と、
前記第１収容部に収容される前記第１内容物及び前記第２収容部に収容される前記第２内容物を区別する仕切りと、
を備え、
前記第１サイズ及び第２サイズのサイズ比と前記第１容積及び第２容積の容積比とが異なる、
包装体。
［Ｃ２］
前記第１収容部の収容面と前記第２収容部の少なくとも一部の収容面との摩擦抵抗が異なる、
前記Ｃ１に記載の包装体。
［Ｃ３］
前記第２収容部の少なくとも一部の収容面が凹凸を有する、
前記Ｃ２に記載の包装体。
［Ｃ４］
対向配置される前記フィルムを熱によって袋状にシールした包装体であって、
前記仕切りは、対向配置される前記フィルムの一部を熱によってシールして形成される、
前記Ｃ１乃至３の何れか１項に記載の包装体。
［Ｃ５］
前記第１収容部と前記第２収容部との境界上に、前記仕切りと、前記第１収容部と前記第２収容部とが通じる１以上の第４開口を備える、
前記Ｃ１乃至４の何れか１項に記載の包装体。
［Ｃ６］
前記仕切りは、対向配置される前記フィルムの一部を熱によって破線状にシールして形成される、
前記Ｃ４又は５に記載の包装体。
［Ｃ７］
前記第１収容部の開口は前記第１サイズから第３サイズまで拡大可能に構成される、
前記Ｃ１乃至６の何れか１項に記載の包装体。
［Ｃ８］
対向配置される上箱と下箱とから形成され、前記上箱と前記下箱とをスライドして開封する包装体であって、
前記上箱と前記下箱の間に形成され、第１内容物を収容する第１収容部と、
前記上箱と前記下箱の間に形成され、第２内容物を収容する第２収容部と、
前記第１収容部に収容される前記第１内容物及び前記第２収容部に収容される第２内容物を区別する仕切りと、
前記第１収容部及び前記第２収容部の一部に形成され、前記第１内容物及び前記第２内容物の一部を堆積可能に構成された堆積部と、
を備え、
前記上箱と前記下箱とをスライドして前記堆積部に堆積された前記第１内容物及び前記第２内容物の一部を露出可能に構成された包装体。
【符号の説明】
【０１５１】
１…包装袋、２…フィルム、３ａ及び３ｂ…収容部、４…袋下端部、５ａ乃至５ｄ…シール部、６…仕切り、７…調整部、８…チャック、９…引き手、１０…袋上端部、１１…ストッパ、１２ａ及び１２ｂ…開口部、１５及び１６…内容物、２１…タブレット、３０…下箱、３１…底板、３２ａ乃至３２ｄ…外壁板、３３…仕切り、３４…ストッパ、３５…凸部、３６ａ及び３６ｂ…収容部、３７…露出領域、３８…溝、４０…上箱、４１…上板、４２ａ乃至４２ｄ…外壁板、４３…ストッパ。
【図１】
0006492568.tif 000002
【図２】
0006492568.tif 000003
【図３】
0006492568.tif 000004
【図４】
0006492568.tif 000005
【図５】
0006492568.tif 000006
【図６】
0006492568.tif 000007
【図７】
0006492568.tif 000008
【図８】
0006492568.tif 000009
【図９】
0006492568.tif 000010
【図１０】
0006492568.tif 000011
【図１１】
0006492568.tif 000012